(57)【特許請求の範囲】
【請求項１】
基地局と移動機との間で送受信されるべき信号を受信し、増幅し、送信するブースターであって、
前記移動機から前記基地局への上り信号を増幅する上り信号増幅手段と、
前記基地局が送信した基準信号を受信し、該基準信号の前記ブースターにおける受信電力を測定する基準信号受信測定手段と、
前記基準信号の前記基地局における送信電力の情報を受信する送信電力情報受信手段と、
前記上り信号増幅手段により増幅された上り信号の前記ブースターにおける雑音電力を測定する雑音電力測定手段と、
前記基準信号の前記基地局における送信電力、前記基準信号の前記ブースターにおける受信電力、および前記増幅された上り信号の前記ブースターにおける雑音電力に基づいて前記上り信号の増幅の利得を制御する利得制御手段と
を備えたことを特徴とするブースター。
【請求項２】
請求項１に記載のブースターであって、
前記基地局から前記移動機への下り信号を増幅する下り信号増幅手段をさらに備え、
前記利得制御手段は、前記基準信号の前記基地局における送信電力、前記基準信号の前記ブースターにおける受信電力、および前記増幅された上り信号の前記ブースターにおける雑音電力に基づいて前記下り信号の増幅の利得をさらに制御することを特徴とするブースター。
【請求項３】
請求項１または２に記載のブースターであって、
前記増幅された上り信号の前記ブースターにおける干渉量を測定する干渉量測定手段と、
前記基地局における干渉量の情報を受信する干渉量情報受信手段とをさらに備え、
前記利得制御手段は、前記基準信号の前記基地局における送信電力、前記基準信号の前記ブースターにおける受信電力、前記増幅された上り信号の前記ブースターにおける雑音電力、前記増幅された上り信号の前記ブースターにおける干渉量、および前記基地局における干渉量にも基づいて前記上り信号の増幅の利得を制御することを特徴とするブースター。
【請求項４】
請求項３に記載のブースターであって、
前記基地局から前記移動機への下り信号を増幅する下り信号増幅手段をさらに備え、
前記利得制御手段は、前記基準信号の前記基地局における送信電力、前記基準信号の前記ブースターにおける受信電力、前記増幅された上り信号の前記ブースターにおける雑音電力、前記増幅された上り信号の前記ブースターにおける干渉量、および前記基地局における干渉量に基づいて前記下り信号の増幅の利得をさらに制御することを特徴とするブースター。
【請求項５】
基地局と移動機との間で送受信されるべき信号を受信し、増幅し、送信するブースターであって、
前記移動機から前記基地局への上り信号を増幅する上り信号増幅手段と、
前記基地局が送信した基準信号を受信し、該基準信号の前記ブースターにおける受信電力を測定する基準信号受信測定手段と、
前記基準信号の前記基地局における送信電力の情報を受信する送信電力情報受信手段と、
前記上り信号増幅手段により増幅された上り信号の前記ブースターにおける干渉量を測定する干渉量測定手段と、
前記基地局における干渉量の情報を受信する干渉量情報受信手段と、
前記基準信号の前記基地局における送信電力、前記基準信号の前記ブースターにおける受信電力、前記増幅された上り信号の前記ブースターにおける干渉量、および前記基地局における干渉量に基づいて前記上り信号の増幅の利得を制御する利得制御手段と
を備えたことを特徴とするブースター。
【請求項６】
請求項５に記載のブースターであって、
前記基地局から前記移動機への下り信号を増幅する下り信号増幅手段をさらに備え、
前記利得制御手段は、前記基準信号の前記基地局における送信電力、前記基準信号の前記ブースターにおける受信電力、前記増幅された上り信号の前記ブースターにおける干渉量、および前記基地局における干渉量に基づいて前記下り信号の増幅の利得をさらに制御することを特徴とするブースター。
【請求項７】
請求項３ないし６のいずれかに記載のブースターであって、
前記基準信号には前記基地局における干渉量の情報が含まれ、
前記干渉量情報受信手段は、前記基準信号を受信することにより、前記基地局における干渉量の情報を受信することを特徴とするブースター。
【請求項８】
請求項１ないし７のいずれかに記載のブースターであって、
前記基準信号には該基準信号の前記基地局における送信電力の情報が含まれ、
前記送信電力情報受信手段は、前記基準信号を受信することにより、該基準信号の前記基地局における送信電力の情報を受信することを特徴とするブースター。
【請求項９】
基地局と移動機との間で送受信されるべき信号を受信し、増幅し、送信するブースターであって、
前記移動機から前記基地局への上り信号を増幅する上り信号増幅手段と、
前記基地局が送信した基準信号を受信し、該基準信号の前記ブースターにおける受信電力を測定する基準信号受信測定手段と、
前記上り信号増幅手段により増幅された上り信号の前記ブースターにおける雑音電力を測定する雑音電力測定手段と、
前記基準信号の前記ブースターにおける受信電力、および前記増幅された上り信号の前記ブースターにおける雑音電力の情報を、前記ブースターを監視する監視装置に送信する情報送信手段と
を備えたことを特徴とするブースター。
【請求項１０】
請求項９に記載のブースターであって、
前記増幅された上り信号の前記ブースターにおける干渉量を測定する干渉量測定手段をさらに備え、
前記情報送信手段は、前記増幅された上り信号の前記ブースターにおける干渉量の情報を、前記ブースターを監視する監視装置にさらに送信することを特徴とするブースター。
【請求項１１】
基地局と移動機との間で送受信されるべき信号を受信し、増幅し、送信するブースターであって、
前記移動機から前記基地局への上り信号を増幅する上り信号増幅手段と、
前記基地局が送信した基準信号を受信し、該基準信号の前記ブースターにおける受信電力を測定する基準信号受信測定手段と、
前記上り信号増幅手段により増幅された上り信号の前記ブースターにおける干渉量を測定する干渉量測定手段をさらに備え、
前記基準信号の前記ブースターにおける受信電力、および前記増幅された上り信号の前記ブースターにおける干渉量の情報を、前記ブースターを監視する監視装置に送信する情報送信手段と
を備えたことを特徴とするブースター。
【請求項１２】
請求項１０または１１に記載のブースターであって、
前記基地局における干渉量の情報を受信する干渉量情報受信手段をさらに備え、
前記情報送信手段は、前記基地局における干渉量の情報を、前記ブースターを監視する監視装置にさらに送信することを特徴とするブースター。
【請求項１３】
請求項１２に記載のブースターであって、
前記基準信号には前記基地局における干渉量の情報が含まれ、
前記干渉量情報受信手段は、前記基準信号を受信することにより、前記基地局における干渉量の情報を受信することを特徴とするブースター。
【請求項１４】
請求項９ないし１３のいずれかに記載のブースターであって、
前記基準信号の前記基地局における送信電力の情報を受信する送信電力情報受信手段をさらに備え、
前記情報送信手段は、前記基準信号の前記基地局における送信電力の情報を、前記ブースターを監視する監視装置にさらに送信することを特徴とするブースター。
【請求項１５】
請求項１４に記載のブースターであって、
前記基準信号には該基準信号の前記基地局における送信電力の情報が含まれ、
前記送信電力情報受信手段は、前記基準信号を受信することにより、該基準信号の前記基地局における送信電力の情報を受信することを特徴とするブースター。
【請求項１６】
請求項９ないし１５のいずれかに記載のブースターであって、
前記ブースターの状態の情報を取得するブースター情報取得手段をさらに備え、
前記情報送信手段は、前記ブースターの状態の情報を、前記ブースターを監視する監視装置にさらに送信することを特徴とするブースター。
【請求項１７】
請求項９ないし１６のいずれかに記載のブースターであって、前記情報送信手段は、前記上り信号の増幅の利得の情報を、前記ブースターを監視する監視装置にさらに送信することを特徴とするブースター。
【請求項１８】
請求項９ないし１７のいずれかに記載のブースターであって、前記基地局から前記移動機への下り信号を増幅する下り信号増幅手段をさらに備えたことを特徴とするブースター。
【請求項１９】
請求項１８に記載のブースターであって、前記情報送信手段は、前記下り信号の増幅の利得の情報を、前記ブースターを監視する監視装置にさらに送信することを特徴とするブースター。
【請求項２０】
請求項９ないし１９のいずれかに記載のブースターであって、
前記監視装置からの制御信号を受信する制御信号受信手段と、
前記制御信号に従って前記ブースターを制御するブースター制御手段とをさらに備えたことを特徴とするブースター。
【請求項２１】
請求項２０に記載のブースターであって、前記ブースター制御手段は、前記制御信号が前記上り信号の増幅の利得および前記下り信号の増幅の利得のうちの少なくとも１つを制御する信号である場合には、前記制御信号に従って前記上り信号の増幅の利得および前記下り信号の増幅の利得のうちの少なくとも１つを制御することを特徴とするブースター。
【請求項２２】
請求項１ないし２１のいずれかに記載のブースターであって、前記基準信号はとまり木信号であることを特徴とするブースター。
【請求項２３】
請求項１ないし２２のいずれかに記載のブースターであって、前記上り信号増幅手段は、前記上り信号の増幅の利得を変化させる時定数を変えることができることを特徴とするブースター。
【請求項２４】
請求項２、４、６、１８または１９のいずれかに記載のブースターであって、前記下り信号増幅手段は、前記下り信号の増幅の利得を変化させる時定数を変えることができることを特徴とするブースター。
【請求項２５】
移動機と基地局との間で送受信されるべき信号を受信し、増幅し、送信するブースターを監視する監視装置であって、
前記基地局が送信した基準信号の前記ブースターにおける受信電力、および前記ブースターにより増幅された前記移動機から前記基地局への上り信号の前記ブースターにおける雑音電力の情報を受信する第１情報受信手段と、
前記基準信号の前記基地局における送信電力の情報を受信する第２情報受信手段と、
前記基準信号の前記ブースターにおける受信電力、および前記増幅された上り信号の前記ブースターにおける雑音電力、ならびに前記基準信号の前記基地局における送信電力に基づいて前記ブースターを監視する監視手段と
を備えたことを特徴とする監視装置。
【請求項２６】
請求項２５に記載の監視装置であって、
前記基地局における干渉量の情報を受信する第３情報受信手段をさらに備え、
前記第１情報受信手段は、前記増幅された上り信号の前記ブースターにおける干渉量の情報をさらに受信し、
前記監視手段は、前記増幅された上り信号の前記ブースターにおける干渉量、および前記基地局における干渉量にも基づいて前記ブースターを監視することを特徴とする監視装置。
【請求項２７】
移動機と基地局との間で送受信されるべき信号を受信し、増幅し、送信するブースターを監視する監視装置であって、
前記基地局が送信した基準信号の前記ブースターにおける受信電力、および前記ブースターにより増幅された前記移動機から前記基地局への上り信号の前記ブースターにおける干渉量の情報を受信する第１情報受信手段と、
前記基準信号の前記基地局における送信電力の情報を受信する第２情報受信手段と、
前記基地局における干渉量の情報を受信する第３情報受信手段と、
前記基準信号の前記ブースターにおける受信電力、および前記増幅された上り信号の前記ブースターにおける干渉量、前記基準信号の前記基地局における送信電力、ならびに前記基地局における干渉量に基づいて前記ブースターを監視する監視手段と
を備えたことを特徴とする監視装置。
【請求項２８】
請求項２６または２７に記載の監視装置であって、
前記基準信号には前記基地局における干渉量の情報が含まれ、
前記第３情報受信手段は、前記基準信号を受信することにより、前記基地局における干渉量の情報を受信することを特徴とする監視装置。
【請求項２９】
請求項２６または２７に記載の監視装置であって、前記第３情報受信手段は、前記ブースターが送信した前記基地局における干渉量の情報を受信することを特徴とする監視装置。
【請求項３０】
請求項２６ないし２９のいずれかに記載の監視装置であって、
前記第３情報受信手段は、前記基地局において、前記基地局における干渉量の情報を受信し、
前記監視手段は、電話回線を介して前記第３情報受信手段から前記基地局における干渉量の情報を取得することを特徴とする監視装置。
【請求項３１】
請求項２５ないし３０のいずれかに記載の監視装置であって、
前記基準信号には該基準信号の前記基地局における送信電力の情報が含まれ、
前記第２情報受信手段は、前記基準信号を受信することにより、該基準信号の前記基地局における送信電力の情報を受信することを特徴とする監視装置。
【請求項３２】
請求項２５ないし３０のいずれかに記載の監視装置であって、前記第２情報受信手段は、前記ブースターが送信した、前記基準信号の前記基地局における送信電力の情報を受信することを特徴とする監視装置。
【請求項３３】
請求項２５ないし３２のいずれかに記載の監視装置であって、
前記第１情報受信手段は、前記基地局において、前記基地局が送信した基準信号の前記ブースターにおける受信電力、および前記増幅された上り信号の前記ブースターにおける雑音電力の情報を受信し、
前記第２情報受信手段は、前記基地局において、前記基準信号の前記基地局における送信電力の情報を受信し、
前記監視手段は、電話回線を介して、前記第１情報受信手段から前記基地局が送信した基準信号の前記ブースターにおける受信電力、および前記増幅された上り信号の前記ブースターにおける雑音電力の情報を取得し、前記第２情報受信手段から前記基準信号の前記基地局における送信電力の情報を取得することを特徴とする監視装置。
【請求項３４】
請求項２５ないし３３のいずれかに記載の監視装置であって、
前記第１情報受信手段は、前記ブースターの状態の情報をさらに受信し、
前記監視手段は、前記ブースターの状態にも基づいて前記ブースターを監視することを特徴とする監視装置。
【請求項３５】
請求項２５ないし３４のいずれかに記載の監視装置であって、
前記第１情報受信手段は、前記上り信号の増幅の利得および前記下り信号の増幅の利得のうちの少なくとも１つの情報をさらに受信し、
前記監視手段は、前記上り信号の増幅の利得および前記下り信号の増幅の利得のうちの少なくとも１つにも基づいて前記ブースターを監視することを特徴とする監視装置。
【請求項３６】
請求項２５ないし３５のいずれかに記載の監視装置であって、
前記上り信号の増幅の利得および前記下り信号の増幅の利得のうちの少なくとも１つを制御する制御信号を前記ブースターに送信する制御信号送信手段をさらに備え、
前記監視手段は、監視結果に基づき前記制御信号を生成することを特徴とする監視装置。
【請求項３７】
請求項２５ないし３６のいずれかに記載の監視装置であって、前記基準信号はとまり木信号であることを特徴とする監視装置。
【請求項３８】
請求項９に記載のブースターと、
請求項２５に記載の監視装置と
を備えたことを特徴とするブースター・システム。
【請求項３９】
請求項１１に記載のブースターと、
請求項２７に記載の監視装置と
を備えたことを特徴とするブースター・システム。
【請求項４０】
基地局と移動機との間で送受信されるべき信号を受信し、増幅し、送信するブースターにおける前記移動機から前記基地局への上り信号の増幅の利得を制御する制御方法であって、
前記基地局が送信した基準信号を受信し、該基準信号の前記ブースターにおける受信電力を測定するステップと、
前記基準信号の前記基地局における送信電力の情報を受信するステップと、
前記ブースターにより増幅された上り信号の前記ブースターにおける雑音電力を測定するステップと、
前記基準信号の前記基地局における送信電力、前記基準信号の前記ブースターにおける受信電力、および前記増幅された上り信号の前記ブースターにおける雑音電力に基づいて前記上り信号の増幅の利得を制御するステップと
を備えることを特徴とする制御方法。
【請求項４１】
基地局と移動機との間で送受信されるべき信号を受信し、増幅し、送信するブースターにおける前記移動機から前記基地局への上り信号の増幅の利得を制御する制御方法であって、
前記基地局が送信した基準信号を受信し、該基準信号の前記ブースターにおける受信電力を測定するステップと、
前記基準信号の前記基地局における送信電力の情報を受信するステップと、
前記ブースターにより増幅された上り信号の前記ブースターにおける干渉量を測定するステップと、
前記基地局における干渉量の情報を受信するステップと、
前記基準信号の前記基地局における送信電力、前記基準信号の前記ブースターにおける受信電力、前記増幅された上り信号の前記ブースターにおける干渉量、および前記基地局における干渉量に基づいて前記上り信号の増幅の利得を制御するステップと
を備えることを特徴とする制御方法。
【請求項４２】
移動機と基地局との間で送受信されるべき信号を受信し、増幅し、送信するブースターを監視する監視方法であって、
前記基地局が送信した基準信号の前記ブースターにおける受信電力、および前記ブースターにより増幅された前記移動機から前記基地局への上り信号の前記ブースターにおける雑音電力の情報を受信するステップと、
前記基準信号の前記基地局における送信電力の情報を受信するステップと、
前記基準信号の前記ブースターにおける受信電力、および前記増幅された上り信号の前記ブースターにおける雑音電力、ならびに前記基準信号の前記基地局における送信電力に基づいて前記ブースターを監視するステップと
を備えることを特徴とする監視方法。
【請求項４３】
移動機と基地局との間で送受信されるべき信号を受信し、増幅し、送信するブースターを監視する監視方法であって、
前記基地局が送信した基準信号の前記ブースターにおける受信電力、および前記ブースターにより増幅された前記移動機から前記基地局への上り信号の前記ブースターにおける干渉量の情報を受信するステップと、
前記基準信号の前記基地局における送信電力の情報を受信するステップと、
前記基地局における干渉量の情報を受信するステップと、
前記基準信号の前記ブースターにおける受信電力、および前記増幅された上り信号の前記ブースターにおける干渉量、前記基準信号の前記基地局における送信電力、ならびに前記基地局における干渉量に基づいて前記ブースターを監視するステップと
を備えることを特徴とする監視方法。
【発明の詳細な説明】
【０００１】
【発明の属する技術分野】
本発明は、基地局と移動機との間で送受信されるべき信号を受信し、増幅し、送信するブースター、ブースターの監視装置、ブースター・システム、ブースターの制御方法およびブースターの監視方法に関する。
【０００２】
【従来の技術】
従来、ブースターの利得は、ブースター設置時に調整され、運用されていた。ブースターの利得をＧb、ブースターの雑音指数をＮＦb、熱雑音をＮkT、ブースターがない場合の基地局での雑音をＮbs、ブースターと基地局との間の伝搬損をＬとすると、ブースターがある場合の基地局での雑音Ｎbs’は、以下のようになる。
【０００３】
Ｎbs’＝ＧbＮＦbＮkT／Ｌ＋Ｎbs      （１）
ここで、ブースターが出力する雑音による基地局に対する影響を十分に小さくすることが好ましい。すなわち、以下の式を満たすことが好ましい。
【０００４】
Ｎbs≫ＧbＮＦbＮkT／Ｌ      （２）
周辺に基地局が新設された場合には、新設された基地局に対してブースターが与える影響を十分小さくするために再調整を行っていた。
【０００５】
【発明が解決しようとする課題】
従来、移動通信において、電波が届きにくく、ブースターを用いてサービスを行っていたエリアに基地局を新たに設置した場合には、ブースターが送信している信号、あるいは雑音が干渉となる場合がある。特に同一の周波数を用いるＣＤＭＡ(Code Division Multiple Access)では、干渉がシステムの性能を大きく左右する。したがって、ブースターの利得を小さくすることにより、干渉の影響を小さくすることが好ましい。
【０００６】
しかし、従来、ブースターの利得を一定としていたため、ブースターの周辺に基地局を新設する度に、ブースターの利得を、ブースターの設置場所で手動で再調整していた。
【０００７】
また、ＣＤＭＡにおいて移動機とブースターとが電波を送受信している（ブースター配下）エリアと、移動機と基地局とが直接電波を送受信している（基地局配下）エリアでは、一般に基地局配下のエリアの方が広い。
【０００８】
例えば、最初ブースター配下の通話量が多く、基地局配下の通話量が少ない状態から基地局配下の通話量が多くなった場合を想定する。基地局配下の通話量を多くしたい場合には、ブースター配下の通話量を制限する。通話量を制限するにはブースターの利得を小さくする方法がある。
【０００９】
しかし、従来、ブースターの利得を一定としていたため、ブースターの利得を小さくすることができなかった。
【００１０】
さらに、ブースターは電波を受信し、増幅した上で空間に電波を送信している装置なので、故障、誤動作等があった場合、回線品質に影響を及ぼす割合が大きいと考えられる。そのため、監視の項目を多くすることが好ましい。また、増幅する部分だけでなく、演算回路等の不具合もいち早く監視することが好ましい。
【００１１】
例えば、上り信号の増幅の利得が下り信号の増幅の利得と比較して非常に小さい場合には、移動機は所要の品質を確保するため送信電力を増加させる。このため、ブースターの不具合を基地局側で検出することは困難である。このため、ブースターにおける増幅の利得を設定するためのパラメータの情報、ブースターの状態の情報等を監視制御装置に送信し、監視制御装置がこれらの情報に基づきブースターを監視すること、すなわち故障、誤動作の検出、故障、誤動作に対する制御等を行うことにより、より適切な監視を行うことが好ましい。
【００１２】
そこで、本発明の目的は、ブースターの利得を調整して、ブースターの雑音が基地局に大きな影響を与えないようにすることである。
【００１３】
また、本発明の他の目的は、ブースターの利得を調整して、ブースター配下の通話量とブースター配下の通話量との調整を行うことである。
【００１４】
さらに、本発明の他の目的は、ブースターを監視するための情報（ブースターにおける増幅の利得を設定するためのパラメータの情報、ブースターの状態の情報等）を監視装置に送信し、監視装置がこれらの情報に基づきブースターを監視することにより、より適切な監視を行うことである。
【００１５】
【課題を解決するための手段】
ブースターの利得を調整して、ブースターの雑音が基地局に大きな影響を与えないようにする方法について説明する。
【００１６】
今、ブースターが移動機が送信した電波（上り信号）を増幅しているものとする。この時、基地局Ａとブースターとの間の伝搬損をＬ1［ｄＢ］とする。基地局Ａにおける雑音電力をＮo［ｄＢｍ］、増幅された上り信号のブースターにおける雑音電力をＮb［ｄＢｍ］とすると、Ｎo≫Ｎb−Ｌ1を満たせば、Ｎbは基地局Ａに対して大きな影響を与えないといえる。すなわち、ブースターの利得をＧb、ブースターの雑音指数をＮＦb、基地局Ａの雑音指数をＮＦoとすると、以下の式を満たせば、ブースターの雑音は基地局Ａに大きな影響を与えないといえる。
【００１７】
Ｎb≪Ｌ1＋Ｎo                （３）
Ｇb≪Ｌ1＋ＮＦo−ＮＦb        （４）
次に伝搬損Ｌ1より小さい伝搬損Ｌ2の場所に基地局Ｂが新設されたとする。ブースターの利得を再調整しない場合、基地局Ｂに対するブースターの雑音の影響は、基地局Ａに対するものと比べて、約Ｌ1−Ｌ2分だけ大きくなる。
【００１８】
基地局Ｂとブースターとの間の伝搬損がＬ2であり、Ｌ1＞Ｌ2であれば、以下の式を満たすようにブースターの利得Ｇbを調整すればよい。
【００１９】
Ｎb≪Ｌ2＋Ｎo                （５）
Ｇb≪Ｌ2＋ＮＦo−ＮＦb        （６）
次に、ブースターの利得を調整して、ブースター配下の通話量とブースター配下の通話量との調整を行う方法について説明する。
【００２０】
今、基地局における干渉量をＩoとする。ブースターに入力される上り信号の干渉量をＩb、ブースターで増幅され、基地局に送信されてきた上り信号の基地局における干渉量をＩb’、基地局とブースターとの間の伝搬損をＬとする。もし通話がブースター配下だけだとすると、以下の関係が成り立つ。
【００２１】
Ｉo＝Ｉb’＝Ｇb＋Ｉb−Ｌ      （７）
例えば、基地局における干渉量Ｉoが大きく、なおかつ上式の関係に近いとすると、ブースター配下の通話が多く、基地局配下の通話を圧迫している状態であると考えられる。このような場合に、ブースターの利得を下げていくと、ＣＤＭＡによる通信の上りでは一定の受信レベルになるように送信電力制御が行われる。これにより最初のうちは干渉量の変化および通話量の変化はほとんどない。
【００２２】
しかし、移動機の送信電力にも限界があることから、徐々にブースターでの干渉量Ｉb’が小さくなってくる。基地局での干渉量が小さくなり、加えて、下り信号の受信電力が小さくなり、ブースター配下のエリアが小さくなる。一方では、基地局の干渉量が小さくなるため、基地局配下の通話量を増加させることができる。
【００２３】
すなわち、ＣＤＭＡにおいては同じ周波数を複数のユーザーが使用するため、ブースター配下の通話が多くなるにつれ、ブースターの受信レベルおよび雑音電力密度が上昇する。上昇度に応じてブースターの利得を変化させることによりエリアを変化させることができる。よって、ブースター配下の通話量を制限することができる。
【００２４】
上記目的を達成するために、請求項１に記載の発明は、基地局と移動機との間で送受信されるべき信号を受信し、増幅し、送信するブースターであって、前記移動機から前記基地局への上り信号を増幅する上り信号増幅手段と、前記基地局が送信した基準信号を受信し、該基準信号の前記ブースターにおける受信電力を測定する基準信号受信測定手段と、前記基準信号の前記基地局における送信電力の情報を受信する送信電力情報受信手段と、前記上り信号増幅手段により増幅された上り信号の前記ブースターにおける雑音電力を測定する雑音電力測定手段と、前記基準信号の前記基地局における送信電力、前記基準信号の前記ブースターにおける受信電力、および前記増幅された上り信号の前記ブースターにおける雑音電力に基づいて前記上り信号の増幅の利得を制御する利得制御手段とを備えたことを特徴とする。
【００２５】
請求項２に記載の発明は、請求項１に記載のブースターであって、前記基地局から前記移動機への下り信号を増幅する下り信号増幅手段をさらに備え、前記利得制御手段は、前記基準信号の前記基地局における送信電力、前記基準信号の前記ブースターにおける受信電力、および前記増幅された上り信号の前記ブースターにおける雑音電力に基づいて前記下り信号の増幅の利得をさらに制御することを特徴とする。
【００２６】
請求項３に記載の発明は、請求項１または２に記載のブースターであって、前記増幅された上り信号の前記ブースターにおける干渉量を測定する干渉量測定手段と、前記基地局における干渉量の情報を受信する干渉量情報受信手段とをさらに備え、前記利得制御手段は、前記基準信号の前記基地局における送信電力、前記基準信号の前記ブースターにおける受信電力、前記増幅された上り信号の前記ブースターにおける雑音電力、前記増幅された上り信号の前記ブースターにおける干渉量、および前記基地局における干渉量に基づいて前記上り信号の増幅の利得を制御することを特徴とする。
【００２７】
請求項４に記載の発明は、請求項３に記載のブースターであって、前記基地局から前記移動機への下り信号を増幅する下り信号増幅手段をさらに備え、前記利得制御手段は、前記基準信号の前記基地局における送信電力、前記基準信号の前記ブースターにおける受信電力、前記増幅された上り信号の前記ブースターにおける雑音電力、前記増幅された上り信号の前記ブースターにおける干渉量、および前記基地局における干渉量に基づいて前記下り信号の増幅の利得をさらに制御することを特徴とする。
【００２８】
請求項５に記載の発明は、基地局と移動機との間で送受信されるべき信号を受信し、増幅し、送信するブースターであって、前記移動機から前記基地局への上り信号を増幅する上り信号増幅手段と、前記基地局が送信した基準信号を受信し、該基準信号の前記ブースターにおける受信電力を測定する基準信号受信測定手段と、前記基準信号の前記基地局における送信電力の情報を受信する送信電力情報受信手段と、前記上り信号増幅手段により増幅された上り信号の前記ブースターにおける干渉量を測定する干渉量測定手段と、前記基地局における干渉量の情報を受信する干渉量情報受信手段と、前記基準信号の前記基地局における送信電力、前記基準信号の前記ブースターにおける受信電力、前記増幅された上り信号の前記ブースターにおける干渉量、および前記基地局における干渉量に基づいて前記上り信号の増幅の利得を制御する利得制御手段とを備えたことを特徴とする。
【００２９】
請求項６に記載の発明は、請求項５に記載のブースターであって、前記基地局から前記移動機への下り信号を増幅する下り信号増幅手段をさらに備え、前記利得制御手段は、前記基準信号の前記基地局における送信電力、前記基準信号の前記ブースターにおける受信電力、前記増幅された上り信号の前記ブースターにおける干渉量、および前記基地局における干渉量に基づいて前記下り信号の増幅の利得をさらに制御することを特徴とする。
【００３０】
請求項７に記載の発明は、請求項３ないし６のいずれかに記載のブースターであって、前記基準信号には前記基地局における干渉量の情報が含まれ、前記干渉量情報受信手段は、前記基準信号を受信することにより、前記基地局における干渉量の情報を受信することを特徴とする。
【００３１】
請求項８に記載の発明は、請求項１ないし７のいずれかに記載のブースターであって、前記基準信号には該基準信号の前記基地局における送信電力の情報が含まれ、前記送信電力情報受信手段は、前記基準信号を受信することにより、該基準信号の前記基地局における送信電力の情報を受信することを特徴とする。
【００３２】
請求項９に記載の発明は、基地局と移動機との間で送受信されるべき信号を受信し、増幅し、送信するブースターであって、前記移動機から前記基地局への上り信号を増幅する上り信号増幅手段と、前記基地局が送信した基準信号を受信し、該基準信号の前記ブースターにおける受信電力を測定する基準信号受信測定手段と、前記上り信号増幅手段により増幅された上り信号の前記ブースターにおける雑音電力を測定する雑音電力測定手段と、前記基準信号の前記ブースターにおける受信電力、および前記増幅された上り信号の前記ブースターにおける雑音電力の情報を、前記ブースターを監視する監視装置に送信する情報送信手段とを備えたことを特徴とする。
【００３３】
請求項１０に記載の発明は、請求項９に記載のブースターであって、前記増幅された上り信号の前記ブースターにおける干渉量を測定する干渉量測定手段をさらに備え、前記情報送信手段は、前記増幅された上り信号の前記ブースターにおける干渉量の情報を、前記ブースターを監視する監視装置にさらに送信することを特徴とする。
【００３４】
請求項１１に記載の発明は、基地局と移動機との間で送受信されるべき信号を受信し、増幅し、送信するブースターであって、前記移動機から前記基地局への上り信号を増幅する上り信号増幅手段と、前記基地局が送信した基準信号を受信し、該基準信号の前記ブースターにおける受信電力を測定する基準信号受信測定手段と、前記上り信号増幅手段により増幅された上り信号の前記ブースターにおける干渉量を測定する干渉量測定手段をさらに備え、前記基準信号の前記ブースターにおける受信電力、および前記増幅された上り信号の前記ブースターにおける干渉量の情報を、前記ブースターを監視する監視装置に送信する情報送信手段とを備えたことを特徴とする。
【００３５】
請求項１２に記載の発明は、請求項１０または１１に記載のブースターであって、前記基地局における干渉量の情報を受信する干渉量情報受信手段をさらに備え、前記情報送信手段は、前記基地局における干渉量の情報を、前記ブースターを監視する監視装置にさらに送信することを特徴とする。
【００３６】
請求項１３に記載の発明は、請求項１２に記載のブースターであって、前記基準信号には前記基地局における干渉量の情報が含まれ、前記干渉量情報受信手段は、前記基準信号を受信することにより、前記基地局における干渉量の情報を受信することを特徴とする。
【００３７】
請求項１４に記載の発明は、請求項９ないし１３のいずれかに記載のブースターであって、前記基準信号の前記基地局における送信電力の情報を受信する送信電力情報受信手段をさらに備え、前記情報送信手段は、前記基準信号の前記基地局における送信電力の情報を、前記ブースターを監視する監視装置にさらに送信することを特徴とする。
【００３８】
請求項１５に記載の発明は、請求項１４に記載のブースターであって、前記基準信号には該基準信号の前記基地局における送信電力の情報が含まれ、前記送信電力情報受信手段は、前記基準信号を受信することにより、該基準信号の前記基地局における送信電力の情報を受信することを特徴とする。
【００３９】
請求項１６に記載の発明は、請求項９ないし１５のいずれかに記載のブースターであって、前記ブースターの状態の情報を取得するブースター情報取得手段をさらに備え、前記情報送信手段は、前記ブースターの状態の情報を、前記ブースターを監視する監視装置にさらに送信することを特徴とする。
【００４０】
請求項１７に記載の発明は、請求項９ないし１６のいずれかに記載のブースターであって、前記情報送信手段は、前記上り信号の増幅の利得の情報を、前記ブースターを監視する監視装置にさらに送信することを特徴とする。
【００４１】
請求項１８に記載の発明は、請求項９ないし１７のいずれかに記載のブースターであって、前記基地局から前記移動機への下り信号を増幅する下り信号増幅手段をさらに備えたことを特徴とする。
【００４２】
請求項１９に記載の発明は、請求項１８に記載のブースターであって、前記情報送信手段は、前記下り信号の増幅の利得の情報を、前記ブースターを監視する監視装置にさらに送信することを特徴とする。
【００４３】
請求項２０に記載の発明は、請求項９ないし１９のいずれかに記載のブースターであって、前記監視装置からの制御信号を受信する制御信号受信手段と、前記制御信号に従って前記ブースターを制御するブースター制御手段とをさらに備えたことを特徴とする。
【００４４】
請求項２１に記載の発明は、請求項２０に記載のブースターであって、前記ブースター制御手段は、前記制御信号が前記上り信号の増幅の利得および前記下り信号の増幅の利得のうちの少なくとも１つを制御する信号である場合には、前記制御信号に従って前記上り信号の増幅の利得および前記下り信号の増幅の利得のうちの少なくとも１つを制御することを特徴とする。
【００４５】
請求項２２に記載の発明は、請求項１ないし２１のいずれかに記載のブースターであって、前記基準信号はとまり木信号であることを特徴とする。
【００４６】
請求項２３に記載の発明は、請求項１ないし２２のいずれかに記載のブースターであって、前記上り信号増幅手段は、前記上り信号の増幅の利得を変化させる時定数を変えることができることを特徴とする。
【００４７】
請求項２４に記載の発明は、請求項２、４、６、１８または１９のいずれかに記載のブースターであって、前記下り信号増幅手段は、前記下り信号の増幅の利得を変化させる時定数を変えることができることを特徴とする。
【００４９】
請求項２５に記載の発明は、移動機と基地局との間で送受信されるべき信号を受信し、増幅し、送信するブースターを監視する監視装置であって、前記基地局が送信した基準信号の前記ブースターにおける受信電力、および前記ブースターにより増幅された前記移動機から前記基地局への上り信号の前記ブースターにおける雑音電力の情報を受信する第１情報受信手段と、前記基準信号の前記基地局における送信電力の情報を受信する第２情報受信手段と、前記基準信号の前記ブースターにおける受信電力、および前記増幅された上り信号の前記ブースターにおける雑音電力、ならびに前記基準信号の前記基地局における送信電力に基づいて前記ブースターを監視する監視手段とを備えたことを特徴とする。
【００５０】
請求項２６に記載の発明は、請求項２５に記載の監視装置であって、前記基地局における干渉量の情報を受信する第３情報受信手段をさらに備え、前記第１情報受信手段は、前記増幅された上り信号の前記ブースターにおける干渉量の情報をさらに受信し、前記監視手段は、前記増幅された上り信号の前記ブースターにおける干渉量、および前記基地局における干渉量にも基づいて前記ブースターを監視することを特徴とする。
【００５１】
請求項２７に記載の発明は、移動機と基地局との間で送受信されるべき信号を受信し、増幅し、送信するブースターを監視する監視装置であって、前記基地局が送信した基準信号の前記ブースターにおける受信電力、および前記ブースターにより増幅された前記移動機から前記基地局への上り信号の前記ブースターにおける干渉量の情報を受信する第１情報受信手段と、前記基準信号の前記基地局における送信電力の情報を受信する第２情報受信手段と、前記基地局における干渉量の情報を受信する第３情報受信手段と、前記基準信号の前記ブースターにおける受信電力、および前記増幅された上り信号の前記ブースターにおける干渉量、前記基準信号の前記基地局における送信電力、ならびに前記基地局における干渉量に基づいて前記ブースターを監視する監視手段とを備えたことを特徴とする。
【００５２】
請求項２８に記載の発明は、請求項２６または２７に記載の監視装置であって、前記基準信号には前記基地局における干渉量の情報が含まれ、前記第３情報受信手段は、前記基準信号を受信することにより、前記基地局における干渉量の情報を受信することを特徴とする。
【００５３】
請求項２９に記載の発明は、請求項２６または２７に記載の監視装置であって、前記第３情報受信手段は、前記ブースターが送信した前記基地局における干渉量の情報を受信することを特徴とする。
【００５４】
請求項３０に記載の発明は、請求項２６ないし２９のいずれかに記載の監視装置であって、前記第３情報受信手段は、前記基地局において、前記基地局における干渉量の情報を受信し、前記監視手段は、電話回線を介して前記第３情報受信手段から前記基地局における干渉量の情報を取得することを特徴とする。
【００５５】
請求項３１に記載の発明は、請求項２５ないし３０のいずれかに記載の監視装置であって、前記基準信号には該基準信号の前記基地局における送信電力の情報が含まれ、前記第２情報受信手段は、前記基準信号を受信することにより、該基準信号の前記基地局における送信電力の情報を受信することを特徴とする。
【００５６】
請求項３２に記載の発明は、請求項２５ないし３０のいずれかに記載の監視装置であって、前記第２情報受信手段は、前記ブースターが送信した、前記基準信号の前記基地局における送信電力の情報を受信することを特徴とする。
【００５７】
請求項３３に記載の発明は、請求項２５ないし３２のいずれかに記載の監視装置であって、前記第１情報受信手段は、前記基地局において、前記基地局が送信した基準信号の前記ブースターにおける受信電力、および前記増幅された上り信号の前記ブースターにおける雑音電力の情報を受信し、前記第２情報受信手段は、前記基地局において、前記基準信号の前記基地局における送信電力の情報を受信し、前記監視手段は、電話回線を介して、前記第１情報受信手段から前記基地局が送信した基準信号の前記ブースターにおける受信電力、および前記増幅された上り信号の前記ブースターにおける雑音電力の情報を取得し、前記第２情報受信手段から前記基準信号の前記基地局における送信電力の情報を取得することを特徴とする。
【００５８】
請求項３４に記載の発明は、請求項２５ないし３３のいずれかに記載の監視装置であって、前記第１情報受信手段は、前記ブースターの状態の情報をさらに受信し、前記監視手段は、前記ブースターの状態にも基づいて前記ブースターを監視することを特徴とする。
【００５９】
請求項３５に記載の発明は、請求項２５ないし３４のいずれかに記載の監視装置であって、前記第１情報受信手段は、前記上り信号の増幅の利得および前記下り信号の増幅の利得のうちの少なくとも１つの情報をさらに受信し、前記監視手段は、前記上り信号の増幅の利得および前記下り信号の増幅の利得のうちの少なくとも１つにも基づいて前記ブースターを監視することを特徴とする。
【００６０】
請求項３６に記載の発明は、請求項２５ないし３５のいずれかに記載の監視装置であって、前記上り信号の増幅の利得および前記下り信号の増幅の利得のうちの少なくとも１つを制御する制御信号を前記ブースターに送信する制御信号送信手段をさらに備え、前記監視手段は、監視結果に基づき前記制御信号を生成することを特徴とする。
【００６１】
請求項３７に記載の発明は、請求項２５ないし３６のいずれかに記載の監視装置であって、前記基準信号はとまり木信号であることを特徴とする。
【００６２】
請求項３８に記載の発明は、ブースター・システムであって、請求項９に記載のブースターと、請求項２５に記載の監視装置とを備えたことを特徴とする。
【００６３】
請求項３９に記載の発明は、ブースター・システムであって、請求項１１に記載のブースターと、請求項２７に記載の監視装置とを備えたことを特徴とする。
【００６４】
請求項４０に記載の発明は、基地局と移動機との間で送受信されるべき信号を受信し、増幅し、送信するブースターにおける前記移動機から前記基地局への上り信号の増幅の利得を制御する制御方法であって、前記基地局が送信した基準信号を受信し、該基準信号の前記ブースターにおける受信電力を測定するステップと、前記基準信号の前記基地局における送信電力の情報を受信するステップと、前記ブースターにより増幅された上り信号の前記ブースターにおける雑音電力を測定するステップと、前記基準信号の前記基地局における送信電力、前記基準信号の前記ブースターにおける受信電力、および前記増幅された上り信号の前記ブースターにおける雑音電力に基づいて前記上り信号の増幅の利得を制御するステップとを備えることを特徴とする。
【００６５】
請求項４１に記載の発明は、基地局と移動機との間で送受信されるべき信号を受信し、増幅し、送信するブースターにおける前記移動機から前記基地局への上り信号の増幅の利得を制御する制御方法であって、前記基地局が送信した基準信号を受信し、該基準信号の前記ブースターにおける受信電力を測定するステップと、前記基準信号の前記基地局における送信電力の情報を受信するステップと、前記ブースターにより増幅された上り信号の前記ブースターにおける干渉量を測定するステップと、前記基地局における干渉量の情報を受信するステップと、前記基準信号の前記基地局における送信電力、前記基準信号の前記ブースターにおける受信電力、前記増幅された上り信号の前記ブースターにおける干渉量、および前記基地局における干渉量に基づいて前記上り信号の増幅の利得を制御するステップとを備えることを特徴とする。
【００６６】
請求項４２に記載の発明は、移動機と基地局との間で送受信されるべき信号を受信し、増幅し、送信するブースターを監視する監視方法であって、前記基地局が送信した基準信号の前記ブースターにおける受信電力、および前記ブースターにより増幅された前記移動機から前記基地局への上り信号の前記ブースターにおける雑音電力の情報を受信するステップと、前記基準信号の前記基地局における送信電力の情報を受信するステップと、前記基準信号の前記ブースターにおける受信電力、および前記増幅された上り信号の前記ブースターにおける雑音電力、ならびに前記基準信号の前記基地局における送信電力に基づいて前記ブースターを監視するステップとを備えることを特徴とする。
【００６７】
請求項４３に記載の発明は、移動機と基地局との間で送受信されるべき信号を受信し、増幅し、送信するブースターを監視する監視方法であって、前記基地局が送信した基準信号の前記ブースターにおける受信電力、および前記ブースターにより増幅された前記移動機から前記基地局への上り信号の前記ブースターにおける干渉量の情報を受信するステップと、前記基準信号の前記基地局における送信電力の情報を受信するステップと、前記基地局における干渉量の情報を受信するステップと、前記基準信号の前記ブースターにおける受信電力、および前記増幅された上り信号の前記ブースターにおける干渉量、前記基準信号の前記基地局における送信電力、ならびに前記基地局における干渉量に基づいて前記ブースターを監視するステップとを備えることを特徴とする。
【００６８】
以上の構成によれば、ブースターの利得を調整して、ブースターの雑音が基地局に大きな影響を与えないようにすることができる。
【００６９】
また、ブースターの利得を調整して、ブースター配下の通話量とブースター配下の通話量との調整を行うことができる。
【００７０】
さらに、ブースターを監視するための情報（ブースターにおける増幅の利得を設定するためのパラメータの情報、ブースターの状態の情報等）を監視装置に送信し、監視装置がこれらの情報に基づきブースターを監視することにより、適切な監視を行うことができる。
【００７１】
【発明の実施の形態】
以下、図面を参照しつつ、本発明の実施の形態について説明する。
【００７２】
（第１実施形態）
図１は、本発明の第１実施形態に係るブースターの構成例を示す図である。
【００７３】
本実施形態に係るブースター１００は、分配器１０４、１０６、可変減衰器１０８、１１０、演算回路１１２、増幅器１１４、１１６、受信器１１８、送信器１２０、合成器１２２、状態監視回路１２４、共用器１２６、１２８、アンテナ１３０、１３２、雑音測定器１４０および干渉測定器１５０を備える。雑音測定器１４０はバンドパスフィルタ（ＢＰＦ）１４２および検波器１４４を備え、干渉測定器１５０はバンドパスフィルタ１５２および検波器１５４を備える。
【００７４】
ブースター１００は、基地局１８０、１８２等から移動機１９０等への下り信号、および移動機１９０等から基地局１８０、１８２等への上り信号を受信し、増幅し、送信する。すなわち、基地局１８０、１８２等が送信した信号を受信し、受信した信号を増幅し、増幅した信号を移動機１９０等へ送信する。また、移動機１９０等が送信した信号を受信し、受信した信号を増幅し、増幅した信号を基地局１８０、１８２等へ送信する。
【００７５】
基地局１８０、１８２等が送信した信号（下り信号）は、アンテナ１３０、共用器１２６および分配器１０４を介して可変減衰器１０８および増幅器１１４に入力され、可変減衰器１０８および増幅器１１４である利得だけ増幅され、共用器１２８およびアンテナ１３２を介して移動機１９０等に送信される。また、移動機１９０等が送信した信号（上り信号）は、アンテナ１３２、共用器１２８および合成器１２２を介して増幅器１１６および可変減衰器１１０に入力され、増幅器１１６および可変減衰器１１０である利得だけ増幅され、分配器１０６、共用器１２６およびアンテナ１３０を介して基地局１８０、１８２等に送信される。
【００７６】
本実施形態において、受信器１１８は移動機の受信器と同じ構成であり、送信器１２０は移動機の送信器と同じ構成であり、低コストである。
【００７７】
ブースター１００は、上述の式（４）に基づき、上り信号の増幅の利得および下り信号の増幅の利得を調整して、ブースター１００の雑音が基地局１８０、１８２等に大きな影響を与えないようにしている。基地局の雑音指数ＮＦoは既知であるとする。
【００７８】
移動通信においては、在圏セル検索に用いられるとまり木信号があり、基地局は常時、継続的にとまり木信号を送信している。とまり木信号の情報の中に、そのとまり木信号の基地局における送信電力（値）Ｐtpch［ｄＢｍ］が含まれていれば、ブースターでそのとまり木信号を受信した際の受信電力（値）Ｐrpch［ｄＢｍ］との関係で基地局とブースターとの間の伝搬損Ｌ1（＝Ｐtpch−Ｐrpch）［ｄＢ］がわかる。
【００７９】
本実施形態においては、とまり木信号を受信し、受信器１１８において、とまり木信号に含まれている、該とまり木信号の基地局における送信電力の情報（および増幅された上り信号の基地局における干渉量の情報）を取り出す。さらに、受信器１１８において、受信したとまり木の受信電力を測定する。なお、とまり木信号の基地局における送信電力の情報を基地局から直接受信し、とまり木信号の受信を介さないようにすることもできる。
【００８０】
また、本実施形態においては、とまり木信号を、ブースターと基地局との間の伝搬損等を測定するための基準の信号としているが、それらの測定の基準となる信号はとまり木信号でなくてもよい。
【００８１】
増幅された上り信号のブースターにおける雑音電力Ｎbの測定は、雑音測定器１４０において行われる。雑音測定に関しては電力密度を測定すればよいので、本実施形態においては、運用する帯域内のすぐ近くの周波数の狭帯域のバンドパスフィルタ１４２および検波器１４４を用いて雑音電力Ｎbを測定している。雑音電力Ｎbを測定できれば、ブースターの雑音指数ＮＦbを求めることができる。
【００８２】
以上のようにして得られた基地局の雑音指数ＮＦo、基地局とブースターとの間の伝搬損Ｌ1およびブースターの雑音指数ＮＦbならびに式（４）に基づき、ブースター１００の利得Ｇbを（自動的に）調整することにより、ブースター１００の雑音が基地局１８０、１８２等に大きな影響を与えないようにすることができる。なお、上り信号の増幅の利得の調整については演算回路１１２が増幅器１１６および可変減衰器１１０に利得設定信号を送信して、増幅器１１６および可変減衰器１１０を調整することにより行う。また、下り信号の増幅の利得の調整については演算回路１１２が増幅器１１４および可変減衰器１０８に利得設定信号を送信して、増幅器１１４および可変減衰器１０８を調整することにより行う。
【００８３】
上り信号の増幅の利得と下り信号の増幅の利得とが異なってもよい。データ通信を行う場合、下り回線と上り回線とでは送信するデータ量は一般に異なり、下り回線の方が一般に多い。そのような場合には、上り信号の増幅の利得と下り信号の増幅の利得に差を設けることにより必要最小限の電力でブースターを運用することができる。
【００８４】
増幅器１１６および可変減衰器１１０は、上り信号の増幅の利得を変化させる際に、その変化の時定数を変えることができる。また、増幅器１１４および可変減衰器１０８は、下り信号の増幅の利得を変化させる際に、その変化の時定数を変えることができる。上り信号の増幅の利得を変化させる時定数、および下り信号の増幅の利得を変化させる時定数は、基地局または移動機の送信電力制御に影響を及ぼさないような値にすることが好ましい。
【００８５】
本実施形態において、ブースター１００は、周辺の基地局のとまり木信号を常時スキャンしており、受信器１１８は受信したとまり木信号のうち一番高いレベルで受信されている信号を検索する。したがって、例えばブースター１００の近くに基地局が新設され、その基地局との間の伝搬損Ｌ2が今まで一番小さかった基地局との間の伝搬損Ｌ1と比べて、Ｌ1＞Ｌ2である場合には、上述の式（６）（式（４）と同様）が成立するようにブースター１００の利得Ｇbが調整される。このようにして、ブースター１００の近くに基地局が新設された場合にも、新設された基地局に対応するようにブースターの利得を下げ、基地局への雑音および干渉の影響を少なくすることができる。
【００８６】
逆に、ブースターとの間の伝搬損が小さく、ブースターが最も雑音および干渉を与える可能性が高い基地局が災害等で運用できなくなった場合には、上述の式（４）を満たす範囲内でブースターの利得を上げることができる。なお、ブースターが信号のやりとりを行っていた基地局が運用できなくなった場合でも、ブースターは周辺の基地局のとまり木信号を検索し、受かればその基地局の電波を増幅し、移動通信のサービスを行うことができる。
【００８７】
ブースター１００は、ＩoとＩb’＝Ｇb＋Ｉb−Ｌとの関係に基づき、ブースターの利得を調整して、ブースター配下の通話量とブースター配下の通話量との調整を行っている。
【００８８】
上述のように、本実施形態においては、とまり木信号から基地局における干渉量Ｉoの情報を取り出している。ただし、基地局における干渉量Ｉoの情報を基地局から直接受信し、とまり木信号の受信を介さないようにすることもできる。
【００８９】
また、基地局とブースターとの間の伝搬損Ｌの求め方についても上述の通りである。
【００９０】
増幅された上り信号のブースターにおける干渉量Ｇb＋Ｉbの測定は、干渉測定器１５０において行われる。干渉測定に関しても電力密度を測定すればよいので、本実施形態においては、帯域内の信号を通過させる狭帯域のバンドパスフィルタ１５２および検波器１５４を用いて干渉量Ｇb＋Ｉbを測定している。Ｇb＋ＩbとＬが得られれば、Ｉb’を求めることができる。
【００９１】
以上のようにして得られた基地局における干渉量Ｉo、および増幅された上り信号の基地局における干渉量Ｉb’に基づき、ブースター１００の利得Ｇbを調整することにより、ブースター配下の通話量とブースター配下の通話量との調整を行うことができる。
【００９２】
ブースター１００は、ブースター１００における増幅の利得を設定するためのパラメータの情報、ブースター１００の状態の情報等を監視装置に送信する。また、監視装置から制御信号を受信した場合、ブースター１００はその制御信号に従う。
【００９３】
本実施形態において、ブースター１００は、増幅の利得を設定するためのパラメータ（とまり木信号の基地局における送信電力、とまり木信号のブースターにおける受信電力、増幅された上り信号のブースターにおける雑音電力、増幅された上り信号のブースターにおける干渉量、および基地局における干渉量）、ブースターの状態、および増幅の利得（上り信号の増幅の利得および下り信号の増幅の利得）の情報を監視装置に送信する。本実施形態においては、これらの情報を監視装置に送信することにしているが、一部の情報のみを送信するようにしてもよいし、他の情報も送信するようにしてもよい。
【００９４】
ブースターの状態の情報は状態監視回路１２４により取得され、送信器１２０に送られる。ブースターの状態の情報にはブースター１００の電源の情報、増幅器１１４、１１６の電源の情報等が含まれる。
【００９５】
これらの情報を受け取った監視装置は、これらの情報を基にブースター１００の故障、誤動作またはそれらの可能性等を検出することができる。さらに、必要であれば、ブースター１００に制御信号を送って、ブースター１００を制御することもできる。
【００９６】
例えば、監視装置において、ブースターから送られてきた増幅の利得を設定するためのパラメータを基に、ブースター１００の演算回路１１２で行うのと同様の処理を行い、増幅の利得を求める。得られた増幅の利得がブースターから送られてきた増幅の利得と一致しない場合には、演算回路１１２、増幅器１１４、１１６等の異常が考えられる。
【００９７】
また例えば、可変減衰器１０８、１１０または増幅器１１４、１１６が故障すると、上りと下りが極端にアンバランスになる。下り信号の増幅の利得が上り信号の増幅の利得より小さい場合、通常ブースター１００配下で通話している移動機の送信電力が大きくなり、干渉量が増加する。監視装置には、増幅された上り信号のブースターにおける干渉量の情報が送られているので、通常の通話増加による干渉量増加と故障による干渉量増加とを区別することができる。一方、下り信号の増幅の利得が上り信号の増幅の利得より大きい場合、上り回線の品質が悪くなり、所要品質を保つために必要とする移動機の送信電力が増大し、エリアが狭まる。そして、上で定義した変数Ｉo、Ｇb、ＩbおよびＬに関して、Ｇb＋Ｉb−Ｌ＞Ｉoという通常ではあり得ない関係が生ずる場合がでてくる。
【００９８】
上述のように、監視装置から制御信号を受信した場合、ブースター１００はその制御信号に従う。制御信号としては、増幅の利得を制御する信号、ブースター１００をリセットする信号、ブースター１００の電源を切る信号等が考えられる。例えば、ブースター１００が増幅の利得を制御する信号を受信した場合、演算回路１１２は、該制御信号に従って上り信号の増幅の利得および下り信号の増幅の利得を制御する。
【００９９】
このようにして、ブースターの適切な監視を行うことができる。
【０１００】
（第２実施形態）
図２は、本発明の第２実施形態に係るブースターの監視装置の構成例を示す図である。
【０１０１】
本実施形態に係る監視装置２００は、制御回路２０２、送信器２１２、受信器２１４、共用器２１８、およびアンテナ２２０を備える。本実施形態において、送信器２１２、受信器２１４、共用器２１８、およびアンテナ２２０は、基地局２１０のものを用いており、基地局２１０も送信器２１２および受信器２１４を用いて信号を送受信する。
【０１０２】
本実施形態において、受信器２１４は移動機の受信器と同じ構成であり、送信器２１２は移動機の送信器と同じ構成であり、低コストである。
【０１０３】
制御回路２０２は、ブースターにおける増幅の利得を設定するためのパラメータの情報、ブースターの状態の情報等を、アンテナ２２０、共用器２１８および受信器２１４を介して受信し、これらの情報に基づきブースターを監視する。より具体的には、これらの情報を基にブースター１００の故障、誤動作またはそれらの可能性等を検出する。さらに、必要であれば、送信器２１２、共用器２１８およびアンテナ２２０を介してブースターに制御信号を送って、ブースターを制御する。
【０１０４】
監視のための各種の情報は、基地局で通常の通話回線と同様に受信するため、余計な受信器は必要としない。
【０１０５】
故障、誤動作またはそれらの可能性等の検出の例、制御信号の例については第１実施形態で述べた通りである。本実施形態に係る監視装置２００により監視のための各種の情報を受信し、ブースターの適切な監視を行うことができる。
【０１０６】
本実施形態に係る監視装置２００を、例えば第１実施形態に係るブースター１００と組み合わせてブースター・システムを形成することができる。ブースター１００が、増幅の利得を設定するためのパラメータ（とまり木信号の基地局における送信電力、とまり木信号のブースターにおける受信電力、増幅された上り信号のブースターにおける雑音電力、増幅された上り信号のブースターにおける干渉量、および基地局における干渉量）、ブースターの状態、および増幅の利得（上り信号の増幅の利得および下り信号の増幅の利得）の情報を監視装置２００に送信し、監視装置２００が、これらの情報を受信し、これらの情報に基づきブースターを監視するようにすることができる。
【０１０７】
（第３実施形態）
例えば上述のとまり木信号の基地局における送信電力の情報、および基地局における干渉量の情報は、ブースターが送信するようにしなくてもよく、基地局から監視装置の制御回路にブースターを介さずに送信するようにすることもできる。
【０１０８】
図３は、本発明の第３実施形態に係るブースターの監視装置の構成例を示す図である。
【０１０９】
本実施形態に係る監視装置３００は、制御回路３０２、送信器３１２、受信器３０４、３１４、分配器３１６、共用器３１８、およびアンテナ３２０を備える。本実施形態において、送信器３１２、受信器３１４、分配器３１６、共用器３１８、およびアンテナ３２０は、基地局３１０のものを用いている。
【０１１０】
本実施形態に係る監視装置３００は、第２実施形態に係る監視装置２００とほぼ同様の機能を有するが、基地局が送信する信号を分配器３１６を介して受信器３０４で受信し、制御回路３０２に送信することができる。よって、監視装置３００は、例えば上述のとまり木信号の基地局における送信電力の情報、および基地局における干渉量の情報をブースターに送信してもらわなくても取得することができる。これらの情報がとまり木信号に含まれているのであれば、分配器３１６を介して受信器３０４でとまり木信号を受信すればよい。
【０１１１】
本実施形態に係る監視装置３００によっても監視のための各種情報を受信し、ブースターの適切な監視を行うことができる。本実施形態に係る監視装置３００は、第２実施形態に係る監視装置２００と比べると、受信器３０４を備えているため構成がやや複雑になるが、例えば上述のとまり木信号の基地局における送信電力の情報、および基地局における干渉量の情報を、ブースターが送信しなくても取得することができる。
【０１１２】
（第４実施形態）
監視装置の制御回路を基地局から離れた場所に設置することもできる。
【０１１３】
図４は、本発明の第４実施形態に係るブースターの監視装置の構成例を示す図である。
【０１１４】
本実施形態に係る監視装置４００は、制御回路４０２、交換機４０６、モデム４０８、送信器４１２、受信器４０４、４１４、分配器４１６、共用器４１８、およびアンテナ４２０を備える。本実施形態において、送信器４１２、受信器４１４、分配器４１６、共用器４１８、およびアンテナ４２０は、基地局４１０のものを用いている。
【０１１５】
本実施形態においては、ブースターからの情報を基地局４１０において受信し、基地局４１０から制御回路４０２へは電話回線を用いて情報を送信するようにしている。
【０１１６】
ブースターは一般に山間などの不感地用に用いられることが多いため、ブースターは山の上等に設置せざるを得ず、ブースターと監視装置との距離が大きくなる場合が多い。ブースターと監視装置との距離が大きくなると、両者を接続する電話回線を引くためのコストがかかる等の問題がある。
【０１１７】
これに対し、本実施形態のように、基地局においてブースターからの情報を電波で受信するようにすれば、コストの問題等はある程度解決される。
【０１１８】
また、ブースターによる通常通話は、一番高い電力で受信できるとまり木信号を送信した基地局との間で行う。ブースターとの伝搬損が以前より小さいところに基地局が新設された場合には、ブースター上位の基地局が変更になる。したがって、ブースターの監視装置をある基地局と同じ場所に設置すると、ブースター上位の基地局が変更になった場合に、ブースターがその上位ではない基地局の監視装置と通信を行うか、ブースター上位の基地局に新たに監視装置を設置することになる。
【０１１９】
これに対し、本実施形態のように、電話回線を用いて監視装置の制御回路を基地局から離れた場所に設置できるようにすれば、監視を一箇所に集約できる。
【０１２０】
本実施形態に係る監視装置４００によっても監視のための各種情報を受信し、ブースターの適切な監視を行うことができる。本実施形態に係る監視装置４００は、第３実施形態に係る監視装置３００に電話回線による遠隔制御を導入したものであるが、第２実施形態に係る監視装置２００に電話回線による遠隔制御を導入することもできる。
【０１２１】
（その他）
以上では、上り信号の増幅の利得の調整に加えて、下り信号の増幅の利得の調整も、上り信号の増幅の利得の調整と同様に行う場合を説明したが、下り信号の増幅の利得の調整を上り信号の増幅の利得の調整とは別に行うこともできるし、上り信号の増幅の利得の調整のみを行うこともできる。
【０１２２】
【発明の効果】
以上説明したように本発明によれば、ブースターの利得を調整して、ブースターの雑音が基地局に大きな影響を与えないようにすることができる。
【０１２３】
また、ブースターの利得を調整して、ブースター配下の通話量とブースター配下の通話量との調整を行うことができる。
【０１２４】
さらに、ブースターを監視するための情報（ブースターにおける増幅の利得を設定するためのパラメータの情報、ブースターの状態の情報等）を監視装置に送信し、監視装置がこれらの情報に基づきブースターを監視することにより、適切な監視を行うことができる。
【図面の簡単な説明】
【図１】本発明の第１実施形態に係るブースターの構成例を示す図である。
【図２】本発明の第２実施形態に係るブースターの監視装置の構成例を示す図である。
【図３】本発明の第３実施形態に係るブースターの監視装置の構成例を示す図である。
【図４】本発明の第４実施形態に係るブースターの監視装置の構成例を示す図である。
【符号の説明】
１００  ブースター
１０４、１０６、３１６、４１６  分配器
１０８、１１０  可変減衰器
１１２  演算回路
１１４、１１６  増幅器
１１８、２１４、３０４、３１４、４０４、４１４  受信器
１２０、２１２、３１２、４１２  送信器
１２２  合成器
１２４  状態監視回路
１２６、１２８、２１８、３１８、４１８  共用器
１３０、１３２、２２０、３２０、４２０  アンテナ
１４０  雑音測定器
１４２、１５２  バンドパスフィルタ
１４４、１５４  検波器
１５０  干渉測定器
１８０、１８２、２１０、３１０、４１０  基地局
１９０  移動機
２００、３００、４００  監視装置
２０２、３０２、４０２  制御回路
４０６  交換機
４０８  モデム
【図１】
0003782616.tif 000002
【図２】
0003782616.tif 000003
【図３】
0003782616.tif 000004
【図４】
0003782616.tif 000005